(57)【特許請求の範囲】
【請求項１】
第１の負荷を含む第１の装置と、
第１の装置に対して脱着可能に取り付け可能であり、第２の負荷を含む第２の装置と、を備え、
前記第１の装置は、
前記第１及び／または第２の負荷へ電力を供給する充電可能な第１の電池と、
前記第１の電池の放電経路の導通／遮断を行う第１のスイッチと、を有し、
前記第２の装置は、
前記第１及び／または第２の負荷へ電力を供給する充電可能な第２の電池と、
前記第１及び／または第２の負荷へ電力を供給し、前記第２の電池よりも容量が小さい充電可能な第３の電池と、
前記第２の電池の放電経路の導通／遮断を行う第２のスイッチと、
前記第３の電池の放電経路の導通／遮断を行う第３のスイッチと、
前記第１の装置からの前記第２の装置の取り外しの開始を検出する検出部と、
前記検出部による検出結果に基づいて前記第１から第３のスイッチの制御を行う制御部と、を有し、
前記制御部は、前記第１の電池から前記第１及び第２の負荷へ電力を供給する場合、前記第１のスイッチをオンするとともに前記第２のスイッチをオフし、
前記第１の電池から前記第２の負荷へ電力を供給中に前記検出部により前記取り外しの開始が検出されたときは、前記第２のスイッチをオンし、
前記第１の電池から前記第２の負荷へ電力を供給中に前記検出部により前記取り外しの開始が検出されたときに、前記第２の電池が前記第２の装置から取り外されている場合または前記第２の電池の残量が所定値よりも小さい場合は、前記第３のスイッチをオンにする、
電子機器。
【請求項２】
前記第１の装置は、前記第２の装置を前記第１の装置から取り外すためにユーザが操作する操作部材をさらに備え、前記操作部材には磁石が取り付けられ、
前記検出部は前記磁石の磁束を検出する磁気センサである、
請求項１記載の電子機器。
【請求項３】
前記第１の及び第２の電池は前記第１及び第２の装置に対して取り外しが可能である、請求項１記載の電子機器。
【請求項４】
前記第１及び第２の電池は複数のセル電池で構成され、前記第１の電池と前記第２の電池のセル数は同じである、請求項１記載の電子機器。
【請求項５】
前記第１の装置はユーザが操作を行うための入力部を含み、前記第２の装置は表示部を備えた、請求項１ないし４のいずれかに記載の電子機器。
【発明の詳細な説明】
【技術分野】
【０００１】
本開示は、第１の装置と、第１の装置から取りはずし可能な第２の装置とを備えた機器であって、第１の装置から第２の装置へ電力供給が可能な電子機器に関する。
【背景技術】
【０００２】
特許文献１は、液晶表示パネルを備えた表示部と、液晶表示パネルの表示制御を行う制御部と、液晶表示パネルおよび制御部への駆動用電力を供給する二次電池ユニットとを有する情報処理装置を開示する。
【０００３】
この情報処理装置において、二次電池ユニットは、表示部内で、少なくとも１つの電池セルが露出された状態で液晶表示パネルの背面側に配置されている。電池セルを露出した状態で液晶表示パネルの背面側に配置することで、二次電池ユニットの厚みを最小限に抑え、二次電池ユニットを設けた表示部ひいては情報処理装置の薄型化を実現している。
【先行技術文献】
【特許文献】
【０００４】
【特許文献１】特開２００２−１２３３３７号公報
【発明の概要】
【発明が解決しようとする課題】
【０００５】
本開示は、第１の装置と、第１装置から取り外し可能な第２の装置とを有する電子機器であって、第１の装置から供給される電力により動作中の第２の装置を第１の装置から取り外した場合であっても、継続して第２の装置を動作させることができる電子機器を提供する。
【課題を解決するための手段】
【０００６】
本開示の電子機器は、第１の負荷を含む第１の装置と、第１の装置に対して脱着可能に取り付け可能であり、第２の負荷を含む第２の装置と、を備える。第１の装置は、第１及び／または第２の負荷へ電力を供給する充電可能な第１の電池と、第１の電池の放電経路の導通／遮断を行う第１のスイッチと、を有する。第２の装置は、第１及び／または第２の負荷へ電力を供給する充電可能な第２の電池と、第２の電池の放電経路の導通／遮断を行う第２のスイッチと、第１の装置からの第２の装置の取り外しの開始を検出する検出部と、検出部による検出結果に基づいて第１及び第２のスイッチの制御を行う制御部と、を有する。制御部は、第１の電池から第１及び第２の負荷へ電力を供給する場合、第１のスイッチをオンするとともに第２のスイッチをオフする。制御部は、第１の電池から第２の負荷へ電力を供給中に検出部により取り外しの開始が検出されたときは、第２のスイッチをオンする。
【発明の効果】
【０００７】
本開示によれば、第２の装置を第１の装置から取り外される場合に、第１の装置からの電源供給が遮断される前に第２の装置内の電池からの電源供給を開始する。これにより、第２の装置を第１の装置から取り外されるときに、継続して第２の装置を動作させることができ、ユーザの利便性を向上できる。
【図面の簡単な説明】
【０００８】
【図１】本開示の実施の形態１に係る、デタッチャブル型情報処理装置の斜視図
【図２】ベース部からタブレット部が取り外された情報処理装置を示した図
【図３】実施の形態１の情報処理装置内の電源供給に関する構成を説明した図
【図４】着脱検出部の構成を説明した図
【図５】ベース部１１０ＡのＤＣ入力から電力が供給される場合の電流経路を説明した図
【図６】ベース部１１０Ａのメインバッテリから電力が供給される場合の電流経路を説明した図
【図７】タブレット部１２０ＡのＤＣ入力から電力が供給される場合の電流経路を説明した図
【図８】タブレット部１２０Ａのメインバッテリから電力が供給される場合の電流経路を説明した図
【図９Ａ】情報処理装置における電源制御の処理を示すフローチャート
【図９Ｂ】情報処理装置における電源制御の処理を示すフローチャート（図５Ａのつづき）
【図１０】情報処理装置における、タブレット部１２０Ａの取り外し検出時の放電経路の切替え処理を示すフローチャート
【図１１】ベース部１１０Ａのメインバッテリから電力が供給される場合の電流経路を説明した図
【図１２】タブレット部１２０Ａの取り外し検出後に、タブレット部内のメインバッテリの放電経路のスイッチがオンに制御される状態を説明した図
【図１３】タブレット部１２０Ａの取り外し検出後に、タブレット部内のブリッジバッテリの放電経路のスイッチがオンに制御される状態を説明した図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者（ら）は、当業者が本開示を十分に理解するために添付図面および以下の説明を提供するのであって、これらによって特許請求の範囲に記載の主題を限定することを意図するものではない。
【００１０】
（実施の形態１）
［１−１．構成］
［１−１−１．外観］
図１は、本開示の実施の形態１に係る電子機器の一例である情報処理装置の斜視図である。図１に示すように、情報処理装置１００は、ベース部１１０Ａ（第１の装置の一例）と、タブレット部１２０Ａ（第２の装置の一例）とを備える。ベース部１１０Ａは、ベース部１１０Ａの機能を実現する負荷や負荷に電力を供給するバッテリ等を収容する第１の筐体１１０と、タブレット部１２０Ａを装着するホルダ１３０とを備える。タブレット部１２０Ａは、タブレット部１２０Ａの機能を実現する負荷や負荷に電力を供給するバッテリ等を収容する第２の筐体１２０を備える。
【００１１】
タブレット部１２０Ａはベース部１１０Ａに対して着脱可能に取り付けられる。すなわち、図２に示すように、タブレット部１２０Ａはベース部１１０Ａから取り外すことができる。タブレット部１２０Ａ（第２の筐体１２０）をベース部１１０Ａ（第１の筐体１１０）に装着したときは、情報処理装置１００はノートブック型コンピュータとして利用することができる。また、タブレット部１２０Ａ単体でも使用でき、その場合、情報処理装置１００はタブレット型コンピュータとして利用することができる。このように情報処理装置１００は所謂デタッチャブル型コンピュータである。
【００１２】
タブレット部１２０Ａは単体でコンピュータとしての機能を有する。タブレット部１２０Ａは表示部１２１を備える。表示部１２１は、例えば液晶表示デバイスで構成され、第２の筐体１２０の一主面に取り付けられる。表示部１２１は有機ＥＬデバイスのような他の表示デバイスで構成されてもよい。表示部１２１には、液晶表示デバイスに重畳してユーザのタッチ操作を受付可能なタッチパネルが設けられている。第２の筐体１２０は、コンピュータとしての機能を実現するため、中央演算処理装置（ＣＰＵ）、揮発性記憶装置（ＲＡＭ）、不揮発性記憶装置（ＲＯＭ、ＳＳＤ等）、バッテリ等を内蔵している。不揮発性記憶装置（ＲＯＭ、ＳＳＤ等）には、オペレーティングシステム（ＯＳ）、種々のアプリケーションプログラム、種々のデータ等が格納されている。中央演算処理装置（ＣＰＵ）は、ＯＳ、アプリケーションプログラム、種々のデータを読み込んで演算処理を実行することにより、種々の機能を実現する。また、タブレット部１２０Ａは、ベース部１１０Ａの負荷や回路と電気的な接続を行うためのコネクタ（図示せず）を備えている。
【００１３】
ベース部１１０Ａの第１の筐体１１０は、ホルダ１３０を回動可能に支持するヒンジ部１４０ａ、１４０ｂを備える。ヒンジ部１４０ａ、１４０ｂは第１の筐体１１０と一体的に形成されている。第１の筐体１１０は、例えば、マグネシウム合金などの金属や樹脂により形成される。第１の筐体１１０は、情報処理装置１００に対してユーザが入力操作を行うための入力部を備える。入力部は、具体的には、キーボード１１１、タッチパッド１１２及び操作ボタン１１３等を含む。
【００１４】
ホルダ１３０は、第２の筐体１２０の一部を収容することにより第２の筐体１２０を装着する。ホルダ１３０はコネクタを備えている。ホルダ１３０に第２の筐体１２０が装着されると、ホルダ１３０のコネクタとタブレット部１２０Ａのコネクタが電気的に接続し、ベース部１１０Ａ内の回路とタブレット部１２０Ａ内の回路とが電気的に接続される。ホルダ１３０は、タブレット部１２０Ａの一部を収容したときに、タブレット部１２０Ａの保持状態をロックするロック機構（図示せず）を備えている。また、ホルダ１３０は、このロックを解除するためにユーザが操作する操作レバー１３１を備えている。タブレット部１２０Ａがベース部１１０Ａ（ホルダ１３０）に装着され、ロックされた状態において、ユーザにより、操作レバー１３１がホルダ１３０の長手方向にスライドさせられると、ロックが解除される。これにより、タブレット部１２０Ａをホルダ１３０から取り外すことが可能となる。
【００１５】
ヒンジ部１４０ａ、１４０ｂは、ホルダ１３０（すなわち、第２の筐体１２０）が第１の筐体１１０に対して回動できるように、ホルダ１３０と連結する。
【００１６】
［１−１−２．電気的構成］
図３は、ベース部１１０Ａ及びタブレット部１２０Ａにおける電気的な構成を説明した図である。
【００１７】
ベース部１１０Ａは、負荷１０と、負荷に供給する電圧を変換するＤＣ−ＤＣ変換部１１と、負荷１０に直流の電力を供給するメインバッテリ１３と、メインバッテリ１３に対する充電制御を行う充電ＩＣ１５と、所定の直流電圧を入力するＤＣ入力部１７とを備える。ここで、負荷１０はキーボード、タッチパッド、インタフェース等を駆動するための種々の回路等を含む。メインバッテリ１３は複数のセル電池で構成され、ベース部１１０Ａから取り外し可能となっている。メインバッテリ１３は信号端子を備えている。コントローラ１９はその信号端子からの情報を用いて、メインバッテリ１３がベース部１１０Ａに装着されているか否か及びメインバッテリ１３の容量を検出できるようになっている。
【００１８】
ベース部１１０Ａはさらに、メインバッテリ１３の放電経路に設けられて、その放電経路の導通／遮断を切り替えるスイッチ３３と、ＤＣ入力部１７の放電経路に設けられて、その放電経路の導通／遮断を切り替えるスイッチ３４と、それらのスイッチ３３、３４の動作を制御するコントローラ１９とを備える。ＤＣ入力部１７は、商用交流電力を直流電力に変換するＡＣアダプタからの直流電力を入力する端子または回路である。コントローラ１９はプログラムを実行することで後述する機能を実現する。コントローラ１９は、ＣＰＵ、ＭＰＵ、ＤＳＰ、マイコン、ＦＰＧＡ、ＡＳＩＣ等で実現できる。
【００１９】
タブレット部１２０Ａは、負荷２０と、負荷２０に供給する電圧を変換するＤＣ−ＤＣ変換部２１と、負荷２０に直流の電力を供給するメインバッテリ２３と、ブリッジバッテリ２４と、ブリッジバッテリ２４の出力電圧を昇圧する昇圧回路２６と、メインバッテリ２３に対する充電制御を行う充電ＩＣ２５と、ブリッジバッテリ２４に対する充電制御を行う充電ＩＣ２８と、充電ＩＣ２８に電圧を供給する昇圧回路２８ａと、所定の直流電圧を入力するＤＣ入力部２７とを備える。ここで、負荷２０は、中央演算処理装置（ＣＰＵ）、表示部１２１及び表示部１２１を駆動するための回路等を含む。
【００２０】
メインバッテリ２３は複数のセル電池で構成され、ベース部１１０Ａのメインバッテリ１３と同数のセル電池を有する。メインバッテリ２３はタブレット部１２０Ａから取り外し可能となっている。メインバッテリ２３は信号端子を備えている。コントローラ２９はその信号端子からの情報を用いて、メインバッテリ２３がタブレット部１２０Ａに装着されているか否か及びメインバッテリ２３の容量を検出できるようになっている。
【００２１】
ブリッジバッテリ２４は、タブレット部１２０Ａに固定され、メインバッテリ２３よりも少ない数のセル電池で構成される。ブリッジバッテリ２４は、メインバッテリ２３の容量よりも小さい容量を有しており、バッテリ交換時において、メインバッテリ２３がベース部１１０Ａに装着されていないときに一時的に電力を供給する役割を有する。
【００２２】
さらに、タブレット部１２０Ａは、メインバッテリ２３の放電経路に設けられ、その放電経路の導通／遮断を切り替えるスイッチ３１と、ブリッジバッテリ２４の放電経路に設けられ、その放電経路の導通／遮断を切り替えるスイッチ３５と、ＤＣ入力部２７の放電経路に設けられ、その放電経路の導通／遮断を切り替えるスイッチ３２と、それらのスイッチ３１、３２、３５とベース部１１０Ａのスイッチ３３、３４の動作を制御するコントローラ２９とを備える。コントローラ２９は、ＣＰＵ、ＭＰＵ、ＤＳＰ、マイコン、ＦＰＧＡ、ＡＳＩＣ等で実現できる。ＤＣ入力部２７は、商用交流電力を直流電力に変換するＡＣアダプタからの直流電力を入力する端子または回路である。ブリッジバッテリ２４の出力には、ブリッジバッテリ２４の出力電圧を昇圧する昇圧回路２６が接続される。
【００２３】
さらに、タブレット部１２０Ａは、タブレット部１２０Ａがベース部１１０Ａに取り付けられた状態において、ユーザによりベース部１１０Ａから取り外されようとする状態を検出する着脱検出部３６を備える。
【００２４】
図４は、着脱検出部３６の構成を示した図である。着脱検出部３６は、磁石３６２と、磁石３６２からの磁界を検出する磁気センサ３６１とで構成される。磁気センサ３６１はホルダ１３０内に設けられたコネクタ１３３に取り付けられている。磁石３６２はホルダ１３０の操作レバー１３１に取り付けられる。磁気センサ３６１は、図４（Ａ）に示すように、操作レバー１３１が操作されていない状態で、磁石３６２の近傍となるコネクタ１３３上の位置に取り付けられる。すなわち、タブレット部１２０Ａがホルダ１３０に取り付けられロックされた状態では、図４（Ａ）に示すように、磁石３６２は磁気センサ３６１の近傍に位置する。このとき、ユーザによりタブレット部１２０Ａの取り外しのために操作レバー１３１が操作されると、図４（Ｂ）に示すように、操作レバー１３１の動きに応じて磁石３６２が移動し、磁気センサ３６１から遠ざかる。これにより、磁気センサ３６１が受ける磁界の大きさは小さくなる。タブレット部１２０Ａのコントローラ２９は、磁気センサ３６１からの検出信号を受信し、磁界の大きさの変化を判定することにより、ユーザによるタブレット部１２０Ａの取り外しのための操作がなされたことを検出できる。このような磁石を用いて構成することで防塵性、防水性を確保している。
【００２５】
磁気センサ３６１と磁石３６２の相対位置は、タブレット部１２０Ａの取り外し操作の検出が、タブレット部１２０Ａがベース部１１０Ａから実際に取り外されるタイミング（すなわち、タブレット部１２０Ａがベース部１１０Ａから電力供給を受けられなくなるタイミング）よりも前になるような位置に設定する。このように設定することにより、着脱検出部３６は、タブレット部１２０Ａがベース部１１０Ａから実際に取り外されて電力の供給が受けられなくなる前に、タブレット部１２０Ａの取り外しを検出することができる。
【００２６】
なお、着脱検出部の構成は図４に示すものに限定されない。すなわち、ベース部１１０Ａからのタブレット部１２０Ａの取り外しが開始されてから、ベース部１１０Ａからタブレット部１２０Ａへの電力供給が遮断されるまでの間のタイミングを検出できるものであれば、着脱検出部は任意の構成を有してよい。
【００２７】
［１−２．動作］
以上のように構成される情報処理装置１００の動作について説明する。情報処理装置１００は、通常の動作時においては、ベース部１１０Ａのメインバッテリ１３及びＤＣ入力部１７並びにタブレット部１２０Ａのメインバッテリ１３及びＤＣ入力部１７のうちのいずれかから、タブレット部１１２０Ａ及びベース部１１０Ａの負荷２０、１０へ電力が供給される。
【００２８】
図５は、ベース部１１０ＡのＤＣ入力部１７から電力が供給される場合の電流経路を説明した図である。なお、説明の便宜上図５においてブリッジバッテリ２４は省略している（図６〜図８においても同じ）。ＤＣ入力部１７から電力が供給される場合、ベース部１１０ＡのＤＣ入力部１７の放電経路に配置されたスイッチ３４がオンされる。このとき、タブレット部１２０Ａのメインバッテリ２３の放電経路に配置されたスイッチ３１はオフされる。また、他のスイッチ３２、３３もオフされる。
【００２９】
図６は、ベース部１１０Ａのメインバッテリ１３から電力が供給される場合の電流経路を説明した図である。メインバッテリ１３から電力が供給される場合、ベース部１１０Ａのメインバッテリ１３の放電経路に配置されたスイッチ３３がオンされ、タブレット部１２０Ａのメインバッテリ２３の放電経路に配置されたスイッチ３１はオフされる。また、他のスイッチ３２、３４もオフされる。
【００３０】
図７は、タブレット部１２０ＡのＤＣ入力部２７から電力が供給される場合の電流経路を説明した図である。ＤＣ入力部２７から電力が供給される場合、タブレット部１２０ＡのＤＣ入力部２７の放電経路に配置されたスイッチ３２がオンされる。このとき、タブレット部１２０Ａのメインバッテリ２３に接続するスイッチ３２及びベース部１１０Ａにおけるスイッチ３３、３４はオフされる。
【００３１】
図８は、タブレット部１２０Ａのメインバッテリ２３から電力が供給される場合の電流経路を説明した図である。メインバッテリ２３から電力が供給される場合、タブレット部１２０Ａのメインバッテリ２３の放電経路に配置されたスイッチ３１がオンされる。このとき、タブレット部１２０ＡのＤＣ入力部２７に接続するスイッチ３２及びベース部１１０Ａにおけるスイッチ３３、３４はオフされる。
【００３２】
以上のように電力の供給元に応じて電流経路に設けられたスイッチ３１、３２、３３、３４のオン・オフがコントローラ２９により切り替えられる。なお、ベース部１１０Ａにおけるスイッチのオン・オフは、タブレット部１２０Ａのコントローラ２９の制御にしたがいベース部１１０Ａのコントローラ１９により制御される。
【００３３】
特に、図６に示すように、ベース部１１０Ａのメインバッテリ１３からベース部及びタブレット部１２０Ａの負荷１０、２０へ電力が供給される場合、ベース部１１０Ａにおいてメインバッテリ１３の放電経路に設けられたスイッチ３３がオンされる。さらに、タブレット部１２０Ａにおいてメインバッテリ２３の放電経路に設けられたスイッチ３１がオフされる。このように、ベース部１１０Ａのメインバッテリ１３から放電する場合に、タブレット部１２０Ａのメインバッテリ２３に接続するスイッチ３１がオフに制御される。これにより、ベース部１１０Ａのメインバッテリ１３から放電する場合に、タブレット部１２０Ａのメインバッテリ２３からの放電を禁止し、タブレット部１２０Ａのメインバッテリ２３の電荷の消費を抑制している。
【００３４】
［１−２−１．電源経路の制御］
図９Ａ及び図９Ｂは、情報処理装置１００における電源経路の制御処理を示すフローチャートである。本処理は、タブレット部１２０Ａがベース部１１０Ａに取り付けられた状態で実行される。
【００３５】
ベース部１１０Ａのコントローラ１９は、まず、ベース部１１０ＡのＤＣ入力部１７にＡＣアダプタが接続されているか否かを判定する（Ｓ１）。この判定はＤＣ入力部１７に入力する電圧を検出することで可能である。
【００３６】
ＤＣ入力部１７にＡＣアダプタが接続されている場合（Ｓ１でＹＥＳ）、コントローラ１９はその旨をタブレット部１２０Ａのコントローラ２９に送信する。タブレット部１２０Ａのコントローラ２９は、コントローラ１９を介して、ベース部１１０ＡのＤＣ入力部１７に接続するスイッチ３４をオンに制御する（Ｓ２）。さらに、コントローラ２９は、タブレット部１２０Ａのメインバッテリ２３に接続するスイッチ３１をオフに制御する（Ｓ３）。このとき、図５に示す経路で、ベース部１１０ＡのＤＣ入力部１７からベース部及びタブレット部１２０Ａの負荷１０、２０へ電力が供給される。
【００３７】
一方、ベース部１１０ＡのＤＣ入力部１７にＡＣアダプタが接続されていない場合（Ｓ１でＮＯ）、ベース部１１０Ａのコントローラ１９は、メインバッテリ１３がベース部１１０Ａに装着されているか否か、及び、メインバッテリ１３の残量が所定値（例えば、満充電時の容量の５％）以上あるか否かを判定する（Ｓ４）。その判定結果はタブレット部１２０Ａのコントローラ２９に送信される。
【００３８】
メインバッテリ１３がベース部１１０Ａに装着され、かつ、その残量が所定値以上ある場合（Ｓ４でＹＥＳ）、タブレット部１２０Ａのコントローラ２９は、ベース部１１０Ａのメインバッテリ１３に接続するスイッチ３３をオンに制御する（Ｓ５）。それとともに、コントローラ２９は、タブレット部１２０Ａのメインバッテリ２３に接続するスイッチ３１をオフに制御する（Ｓ６）。このとき、図６に示す経路で、ベース部１１０Ａのメインバッテリ１３からベース部及びタブレット部内の負荷１０、２０へ電力が供給される。
【００３９】
一方、メインバッテリ１３がベース部１１０Ａに装着されていない、または、その残量が所定値未満である場合（Ｓ４でＮＯ）、タブレット部１２０Ａのコントローラ２９は、タブレット部１２０ＡのＤＣ入力部２７にＡＣアダプタが接続されているか否かを判定する（Ｓ１１）。これは、ＤＣ入力部２７に入力する電圧を検出することで判定できる。
【００４０】
ＤＣ入力部２７にＡＣアダプタが接続されている場合（Ｓ１１でＹＥＳ）、コントローラ２９は、タブレット部１２０ＡのＤＣ入力部２７に接続するスイッチ３２をオンにする（Ｓ１２）。さらに、コントローラ２９は、ベース部１１０Ａのメインバッテリ１３に接続するスイッチ３３をオフに制御する（Ｓ１３）。このとき、図７に示す経路で、タブレット部１２０ＡのＤＣ入力部２７からベース部及びタブレット部内の負荷１０、２０へ電力が供給される。
【００４１】
タブレット部１２０ＡのＤＣ入力部２７にＡＣアダプタが接続されていない場合（Ｓ１１でＮＯ）、コントローラ２９は、メインバッテリ２３がタブレット部１２０Ａに装着されているか否か、及び、メインバッテリ２３の残量（例えば、満充電時の容量の５％）が所定値以上あるか否かを判定する（Ｓ１４）。
【００４２】
メインバッテリ２３がタブレット部１２０Ａに装着され、かつ、その残量が所定値以上ある場合（Ｓ１４でＹＥＳ）、コントローラ２９は、タブレット部１２０Ａのメインバッテリ２３に接続するスイッチ３１をオンにする（Ｓ１５）。それとともに、コントローラ２９は、ベース部１１０Ａのメインバッテリ１３に接続するスイッチ３３をオフに制御する（Ｓ１６）。このとき、図８に示す経路で、タブレット部１２０Ａのメインバッテリ２３からベース部１１０Ａ及びタブレット部１２０Ａ内の負荷１０、２０へ電力が供給される。
【００４３】
一方、メインバッテリ２３がタブレット部１２０Ａに装着されていない、または、その残量が所定値未満である場合（Ｓ１４でＮＯ）、コントローラ２９は、タブレット部１２０Ａをシャットダウンする（Ｓ１７）。
【００４４】
なお、ステップＳ４、Ｓ１４では、ベース部１１０Ａまたはタブレット部１２０Ａのいずれかのメインバッテリ１３、２３の残容量のみを考慮したが、ベース部１１０Ａ及びタブレット部１２０Ａの双方のメインバッテリ１３、２３の残容量の和を考慮してもよい。このとき、メインバッテリ１３、２３の残容量の和が所定値未満である場合、ベース部１１０Ａのメインバッテリ１３に接続するスイッチ３３をオンに制御するとともに、タブレット部１２０Ａのメインバッテリ２３に接続するスイッチ３１をオンに制御してもよい。
【００４５】
本実施の形態の情報処理装置１００において、以上のようにして、ＤＣ入力部１７、２７またはメインバッテリ１３、２３から負荷１０、２０への電力供給が制御される。
【００４６】
以上のように、本実施の形態の情報処理装置１００において、ベース部１１０Ａにタブレット部１２０Ａが装着された状態のときは、ベース部１１０Ａからタブレット部１２０Ａへ電力を供給するように各スイッチ３１〜３５が制御される。これにより、タブレット部１２０Ａのメインバッテリ２３の電力消費を低減できる。そして、ベース部１１０Ａ内のメインバッテリ１３の残量が少なくなった場合には、タブレット部１２０Ａ内の電源（メインバッテリ２３）を使用するように制御される。
【００４７】
また、本実施の形態の情報処理装置１００では、メインバッテリ１３、２３の放電経路の導通／遮断を切り替えるスイッチ３３、３１を設けている。これらのスイッチ３３、３１の制御により、メインバッテリ１３とメインバッテリ２３の間の容量の差異によらず、所望のバッテリ側から放電させることが可能となる。すなわち、従来では、バッテリの放電経路においてスイッチの代わりにダイオードを配置していたが、この場合は、電圧が高い方のバッテリから放電される。このため、タブレット部内のバッテリがベース部１１０Ａのバッテリよりも電圧が高い場合は、タブレット部内のバッテリから電力が消費されてしまう。このため、ユーザがタブレット部単体で使用しようとした場合にタブレット部内のバッテリの残量が少なくなり、タブレット部が使用できなくなり、ユーザの利便性を損ねるということがあった。これに対して、本実施形態では、電力を消費する側のバッテリを制御できることから、ベース部内のバッテリから消費するようにでき、前述のような問題を回避できる。
【００４８】
［１−２−２．タブレット部の取り外し検出時の処理］
図１０は、情報処理装置１００における、タブレット部１２０Ａのベース部１１０Ａからの取り外しが検出された時の放電経路の切替え処理を示すフローチャートである。図１０に示す処理は、タブレット部１２０Ａの負荷２０への電力供給がベース部１１０Ａからなされている場合（図１１参照）に実行される。
【００４９】
タブレット部１２０Ａのコントローラ２９は、着脱検出部３６からの検出信号を受け、タブレット部１２０Ａの取り外し操作を検出する（Ｓ２１）。ここで、タブレット部１２０Ａの取り外し操作の検出とは、タブレット部１２０Ａの取り外し操作が開始され、電源断となる前のタイミングを検出することである。すなわち、着脱検出部３６は、ベース部１１０Ａからのタブレット部１２０Ａの取り外しが開始されてから、ベース部１１０Ａからタブレット部１２０Ａへの電力供給が遮断されるまでの間のタイミングを検出している。
【００５０】
タブレット部１２０Ａの取り外しが検出された場合（Ｓ２１でＹＥＳ）、コントローラ２９は、メインバッテリ２３がタブレット部１２０Ａに装着されているか否か、及び、メインバッテリ２３の残量が所定値以上あるか否かを判定する（Ｓ２２）。
【００５１】
メインバッテリ２３がタブレット部１２０Ａに装着され、かつ、その残量が所定値以上ある場合（Ｓ２２でＹＥＳ）、コントローラ２９は、タブレット部１２０Ａのメインバッテリ２３に接続するスイッチ３１をオンにする（Ｓ２３）。これにより、タブレット部１２０Ａがベース部１１０Ａから取り外される前に、タブレット部内においてメインバッテリ２３から負荷２０への電力供給が開始される（図１２参照）。よって、タブレット部１２０Ａがベース部１１０Ａから取り外され、ベース部１１０Ａからの電力供給が停止した場合でも、タブレット部１２０Ａはメインバッテリ２３からの電力供給により動作を続けることができる。
【００５２】
一方、メインバッテリ２３がタブレット部１２０Ａに装着されていない、または、その残量が所定値未満である場合（Ｓ２２でＮＯ）、コントローラ２９は、タブレット部１２０Ａのブリッジバッテリ２４に接続するスイッチ３５をオンにする（Ｓ２３）。このとき、スイッチ３５をオンする前に昇圧回路２６がオンされる。また、メインバッテリ２３に接続するスイッチ３１をオンしてもよい。これにより、タブレット部１２０Ａがベース部１１０Ａから取り外される前に、ブリッジバッテリ２４からタブレット部１２０Ａ内の負荷２０への電力供給が開始される（図１３参照）。よって、タブレット部１２０Ａがベース部１１０Ａから取り外されたときに、メインバッテリ２３が装着されていない場合またはメインバッテリ２３の残量が少ない場合でも、タブレット部１２０Ａはブリッジバッテリ２４からの電力供給により動作を続けることができる。
【００５３】
以上述べたように、本実施の形態の情報処理装置１００によれば、ベース部１１０Ａから電力を受けて動作しているタブレット部１２０Ａをベース部１１０Ａから取り外した場合に、ベース部１１０Ａからの電力供給がなくなる前にタブレット部１２０Ａ内の電力供給が開始される。このため、タブレット部１２０Ａをベース部１１０Ａから取り外した場合に、電源断によるタブレット部１２０Ａの動作停止を防止することができる。
【００５４】
［１−３．効果、等］
以上のように本実施形態の情報処理装置１００（電子機器の一例）は、負荷１０（第１の負荷の例）を含むベース部１１０Ａ（第１の装置の例）と、ベース部１１０Ａに対して脱着可能に取り付け可能であり、負荷２０（第２の負荷の一例）を含むタブレット部１２０Ａ（第２の装置の一例）と、を備える。ベース部１１０Ａは、負荷１０及び／または負荷２０へ電力を供給する充電可能なメインバッテリ１３（第１の電池の一例）と、メインバッテリ１３の放電経路の導通／遮断を行うスイッチ３３と、を有する。
【００５５】
タブレット部１２０Ａは、負荷１０及び／または負荷２０へ電力を供給する充電可能なメインバッテリ２３（第２の電池）と、メインバッテリ２３の放電経路の導通／遮断を行うスイッチ３１と、ベース部１１０Ａからのタブレット部１２０Ａの取り外しの開始を検出する着脱検出部３６（検出部の一例）と、着脱検出部３６による検出結果に基づいてスイッチ３１、３３の制御を行うコントローラ２９（制御部の一例）とを有する。
【００５６】
コントローラ２９は、メインバッテリ１３から負荷２０へ電力を供給する場合、スイッチ３３をオンするとともにスイッチ３１をオフする。メインバッテリ１３から負荷２０へ電力を供給中に着脱検出部３６によりタブレット部１２０Ａの取り外しの開始が検出されたときは（Ｓ２１）、コントローラ２９はスイッチ３１をオンする（Ｓ２３）。
【００５７】
以上のようにスイッチ３１、３３を制御することで、タブレット部１２０Ａのメインバッテリ２３を消費させずに、ベース部１１０Ａのメインバッテリ１３からタブレット部１２０Ａの負荷２０へ電力を供給することができる。
【００５８】
また、タブレット部１２０Ａがベース部１１０Ａから取り外される場合に、ベース部１１０Ａからの電力供給が遮断される前にタブレット部１２０Ａ内のメインバッテリ２３からの電力供給が開始される。このため、タブレット部１２０Ａをベース部１１０Ａから取り外したときに、タブレット部１２０Ａが電源断により停止されることなしに、タブレット部１２０Ａを継続して動作させることができる。
【００５９】
また、メインバッテリ１３とメインバッテリ２３のセル数を同数としていることから、メインバッテリ１３に代えてメインバッテリ２３を使用すること（またはその逆）ができ、バッテリ使用時におけるユーザの利便性を向上できる。
【００６０】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。そこで、以下、他の実施の形態を例示する。
【００６１】
実施の形態１では、電子機器の一例として、所謂デタッチャブル型コンピュータを説明したが、本開示の思想は、２つの筐体が取り外し可能に連結された他の種類の電子機器にも適用することができる。例えば、ワードプロセッサ、電子辞書、携帯端末のような電子機器に対して適用できる。
【００６２】
以上のように、本開示における技術の例示として、実施の形態を説明した。そのために、添付図面および詳細な説明を提供した。
【００６３】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６４】
また、上述の実施の形態は、本開示における技術を例示するためのものであるから、特許請求の範囲またはその均等の範囲において種々の変更、置き換え、付加、省略などを行うことができる。
【産業上の利用可能性】
【００６５】
本開示は、第１の装置と、第１の装置から取りはずし可能な第２の装置とを備えた機器であって、第１の装置から第２の装置へ電力供給が可能な電子機器に適用できる。
【符号の説明】
【００６６】
１０、２０  負荷
１３、２３  メインバッテリ
１５、２５  充電ＩＣ
１７、２７  ＤＣ入力部
１９、２９  コントローラ
２６  昇圧回路
３１〜３５  スイッチ
３６  着脱検出部
１００  情報処理装置
１１０  第１の筐体
１１０Ａ  ベース部
１１１  キーボード
１１２  タッチパッド
１１３  操作ボタン
１２０  第２の筐体
１２０Ａ  タブレット部
１２１  表示部
１３０  ホルダ
１３１  操作レバー
【図１】
0006660559.tif 000002
【図２】
0006660559.tif 000003
【図３】
0006660559.tif 000004
【図４】
0006660559.tif 000005
【図５】
0006660559.tif 000006
【図６】
0006660559.tif 000007
【図７】
0006660559.tif 000008
【図８】
0006660559.tif 000009
【図９Ａ】
0006660559.tif 000010
【図９Ｂ】
0006660559.tif 000011
【図１０】
0006660559.tif 000012
【図１１】
0006660559.tif 000013
【図１２】
0006660559.tif 000014
【図１３】
0006660559.tif 000015